(57)【要約】【課題】各ユーザの体に適合するようなカップ付き衣類のサイズを判定することができるサイズ判定装置およびサイズ判定方法を提供する。【解決手段】ユーザＣのバストＢを覆うカップを有するカップ付き衣類のブラジャーサイズ判定装置１０であって、バストＢの少なくとも下部分の第１体積Ｖａを取得する取得部と、下部分の第１体積Ｖａに基づいてカップ付き衣類のカップサイズを判定する判定部１４と、を備える。【選択図】図１
2020143389.tif 000002
【特許請求の範囲】
【請求項１】
ユーザのバストを覆うカップを有するカップ付き衣類のサイズ判定装置であって、
前記バストの少なくとも下部分の体積を取得する取得部と、
前記下部分の体積に基づいて前記カップ付き衣類のカップサイズを判定する判定部と、を備えるサイズ判定装置。
【請求項２】
前記取得部は、前記バストの前記下部分を含むバスト全体の体積を取得し、
前記判定部は、前記下部分の体積と、前記バスト全体の体積とに基づいて、前記カップサイズを判定する、請求項１に記載のサイズ判定装置。
【請求項３】
前記下部分の体積に第１の係数を乗じた積と前記バスト全体の体積に前記第１の係数とは異なる第２の係数を乗じた積とを加算して、前記バストの換算体積を算出する体積換算部を備え、
前記判定部は、前記換算体積に基づいて前記カップサイズを判定する、請求項２に記載のサイズ判定装置。
【請求項４】
前記第２の係数は、アンダーバストサイズが大きくなるにつれて、大きく設定される、請求項３に記載のサイズ判定装置。
【請求項５】
前記判定部は、前記下部分の体積に基づいて定められた複数の候補サイズを判定結果として出力する、請求項１〜４のいずれか一項に記載のサイズ判定装置。
【請求項６】
前記下部分の体積は、前記バストのバストトップの身長方向の高さ位置でバスト全体を上下に分割することによって得られる、請求項１〜５のいずれか一項に記載のサイズ判定装置。
【請求項７】
ユーザのバストを覆うカップを有するカップ付き衣類のサイズ判定方法であって、
前記バストの少なくとも下部分の体積を取得し、
前記下部分の体積に基づいて前記カップ付き衣類のカップサイズを判定する、サイズ判定方法。
【発明の詳細な説明】
【技術分野】
【０００１】
本発明は、カップ付き衣類のサイズ判定装置およびサイズ判定方法に関する。
【背景技術】
【０００２】
従来、衣服または下着等のオーダーメイドシステムが知られている。たとえば特許文献１には、下着のオーダーメイドシステムが記載されている。このシステムでは、３次元人体計測装置によってユーザの体の所定箇所の測定値が測定され、その測定値に基づいて、ユーザの理想体型に対応する型紙データが作成される。そして、嗜好情報とカウンセリング情報との比較等が行われた後に、最終縫製情報が決定され、ブラジャー等の下着が製造される。また特許文献２には、三次元形状データを作成するデータ立体化装置が記載されている。この装置では、実際の人体を光学的に読み取って得られる三次元形状データが用いられる。そして、オーダーメイドの依頼主を撮影して得られる側面像と正面像を用いて、依頼主の人体形状を示す三次元形状データが作成される。
【先行技術文献】
【特許文献】
【０００３】
【特許文献１】特開２００９−３０１９４号公報
【特許文献２】特開２００１−１１７９６３号公報
【発明の概要】
【発明が解決しようとする課題】
【０００４】
上述したように、ブラジャー等の下着をオーダーメイドするための技術が知られている。ところで、下着売り場等において、多種類のサイズをもったブラジャー（カップ付き衣類）の商品群の中から、ユーザの体に適合するブラジャーを提案または推薦することが求められる。あるユーザの体に適合するブラジャーのサイズを判定するには、トップバストの周径およびアンダーバストの周径が用いられることが多い。たとえば、下着売り場の店員がこれらの部位をメジャーで採寸し、アンダーバストの周径からアンダーバストサイズを決定し、トップバストの周径とアンダーバストの周径との差からカップサイズを決定する。その店員が、ユーザに適合すると思われるブラジャーのサイズとタイプを複数選定し、ユーザにブラジャーを試着させた上で、ユーザに商品を選んでもらう場合もある。
【０００５】
一方、ユーザへの提案または推薦のために、体形情報を取得することができる三次元スキャナ（３Ｄスキャナ）が用いられる場合もある。三次元スキャナによっても、ブラジャーのアンダーバストサイズとカップサイズを決定することができる。たとえば、三次元のバスト形状に基づいて、そのユーザに適合するカップサイズを判定することも考えられる。しかしながら、多くのユーザを対象とした場合に、ユーザごとにバストの大きさ及び形状は異なり、また、それぞれのバストの形状も複雑である。従来の装置および方法では、各ユーザの体に適合するようなカップ付き衣類のサイズを判定することに限界がある。
【０００６】
本発明は、各ユーザの体に適合するようなカップ付き衣類のサイズを判定することができるサイズ判定装置およびサイズ判定方法を提供することを目的とする。
【課題を解決するための手段】
【０００７】
本発明の一態様は、ユーザのバストを覆うカップを有するカップ付き衣類のサイズ判定装置であって、バストの少なくとも下部分の体積を取得する取得部と、下部分の体積に基づいてカップ付き衣類のカップサイズを判定する判定部と、を備える。
【０００８】
このカップ付き衣類のサイズ判定装置によれば、ユーザのバストの下部分の体積に基づいて、カップ付き衣類のカップサイズが判定される。バスト全体の体積よりも、下部分の体積の方が、カップサイズに対して大きく影響し得る。よって、少なくとも下部分の体積を判定に用いた方が、ユーザの体により適合するカップサイズを選び出すことができる。したがって、多くのユーザを対象とした場合でも、各ユーザの体に適合するようなカップ付き衣類のサイズを判定することができる。
【０００９】
取得部は、バストの下部分を含むバスト全体の体積を取得し、判定部は、下部分の体積と、バスト全体の体積とに基づいて、カップサイズを判定してもよい。たとえば、バストの上部分の体積が比較的小さい場合、ブラジャーとバストとの間に隙間ができる傾向にある。バストの上部分の体積が比較的大きい場合、ブラジャーがバストに食い込む傾向にある。このように、下部分の体積に加え、上部分の体積を含んだバスト全体の体積を２番目の要素として用いることで、適合の精度が更に高められる。
【００１０】
下部分の体積に第１の係数を乗じた積とバスト全体の体積に第１の係数とは異なる第２の係数を乗じた積とを加算して、バストの換算体積を算出する体積換算部を備え、判定部は、換算体積に基づいてカップサイズを判定してもよい。下部分の体積に乗じる第１の係数とバスト全体の体積に乗じる第２の係数とを別個に設定して算出される換算体積は、カップサイズの分類に適合させやすい。換算体積に基づいてカップサイズを判定することで、適合の精度が更に高められる。
【００１１】
第２の係数は、アンダーバストサイズが大きくなるにつれて、大きく設定されてもよい。下部分の体積と適合カップサイズとの関係は、アンダーバストサイズによって異なる。第２の係数がこのように設定されることで、アンダーバストサイズごとに、適切なカップサイズを選び出すことができる。
【００１２】
判定部は、下部分の体積に基づいて定められた複数の候補サイズを判定結果として出力してもよい。ユーザに適合する唯一のカップサイズを選び出すことは難しい場合も多い。複数の候補サイズが判定結果として出力されると、選択の余地がユーザに与えられ、ユーザの体または好みに対するマッチングが実現される。
【００１３】
下部分の体積は、バストのバストトップの身長方向における高さ位置でバスト全体を上下に分割することによって得られてもよい。バストトップを基準（境界）にして下部分の体積を得た場合、それぞれのユーザのバストに応じた、より適切なカップサイズを判定することができる。またあらゆるユーザに対しても基準が統一されやすく、判定部における判定の安定性および信頼性も高められる。
【００１４】
本発明の別の態様は、ユーザのバストを覆うカップを有するカップ付き衣類のサイズ判定方法であって、バストの少なくとも下部分の体積を取得し、下部分の体積に基づいてカップ付き衣類のカップサイズを判定する。
【００１５】
このカップ付き衣類のサイズ判定方法によれば、ユーザのバストの下部分の体積に基づいて、カップ付き衣類のカップサイズが判定される。バスト全体の体積よりも、下部分の体積の方が、カップサイズに対して大きく影響し得る。よって、少なくとも下部分の体積を判定に用いた方が、ユーザの体により適合するカップサイズを選び出すことができる。したがって、多くのユーザを対象とした場合でも、各ユーザの体に適合するようなカップ付き衣類のサイズを判定することができる。
【発明の効果】
【００１６】
本発明によれば、多くのユーザを対象とした場合でも、各ユーザの体に適合するようなカップ付き衣類のサイズを判定することができる。
【図面の簡単な説明】
【００１７】
【図１】一実施形態に係るサイズ判定装置の機能構成の一例を示す図である。
【図２】一実施形態に係るサイズ判定装置として機能し得るコンピュータのハードウェア構成の一例を示す図である。
【図３】図３（ａ）はバストの抽出を概念的に示す図、図３（ｂ）はバストの下部分の体積の算出を概念的に示す図である。
【図４】各種アンダーバストサイズに応じたカップ候補サイズを示す表である。
【図５】図４のカップサイズ判定における換算体積の境界値とカップ候補サイズを概念的に示す図である。
【図６】サイズ判定装置によるサイズ判定処理の手順を示すフローチャートである。
【図７】バスト全体の体積に対する下部分の体積の分布状況とカップ候補サイズを示すグラフである。
【図８】バスト全体の体積に対する換算体積の分布状況とカップ候補サイズを示すグラフである。
【図９】カップ候補サイズの選定手法の変形例を説明するための図である。
【発明を実施するための形態】
【００１８】
以下、本発明の実施形態について、図面を参照しながら説明する。なお、図面の説明において同一要素には同一符号を付し、重複する説明は省略する。
【００１９】
図１を参照して、一実施形態に係るブラジャーサイズ判定装置１０について説明する。本実施形態において、ブラジャーサイズ判定装置１０は、衣類サイズ判定システムＳに組み込まれており、衣類サイズ判定システムＳの一部を構成する。衣類サイズ判定システムＳは、たとえば下着売り場等にやって来る顧客であるユーザＣに対し、ユーザＣの体に適合する下着を提案または推薦するシステムである。衣類サイズ判定システムＳは、多数のユーザＣに対し、適合する下着を提案または推薦することができるように構成されている。衣類サイズ判定システムＳによれば、３Ｄスキャナ２０によってユーザＣの体の表面における複数箇所の三次元位置が測定され、その測定値に基づいて、自動的に１つ又は複数の下着が提案または推薦される。衣類サイズ判定システムＳでは、たとえば店員による接客が不要（省略可能）になっており、ユーザＣが自分自身で下着（商品）を選ぶことができる。すなわち、セルフ式の下着購入または下着選定が可能になっている。
【００２０】
衣類サイズ判定システムＳは、ユーザＣの体形情報を取得する３Ｄスキャナ２０と、３Ｄスキャナ２０から出力される測定値に基づいてユーザＣに適合するブラジャー（カップ付き衣類）のサイズを判定するブラジャーサイズ判定装置１０とを備える。衣類サイズ判定システムＳは、さらに、多種類のサイズをもったブラジャーの情報（サイズ、タイプおよび価格等を含む）と、後述するサイズ判定に用いられる境界値等を含むサイズ判定情報とが格納されたデータベース３０と、ブラジャーサイズ判定装置１０から出力されるブラジャーの情報を表示させる表示装置４０とを備える。カップ付き衣類は、ユーザＣの左右のバストＢを覆う一対のカップを有する上半身衣類である。カップ付き衣類の具体例としては、ブラジャーに加え、カップ付きキャミソール、カップ付きワンピース等が挙げられる。
【００２１】
３Ｄスキャナ２０は、たとえば光学式の三次元体形測定装置である。３Ｄスキャナ２０の型式は特に限定されない。３Ｄスキャナ２０として、公知の赤外線式のスキャナが用いられてもよいし、公知のレーザ式のスキャナが用いられてもよい。本実施形態において、３Ｄスキャナ２０は、少なくとも、ユーザＣの上半身形状、すなわちユーザＣの胴体（体幹）の形状とユーザＣのバストＢ（図３（ａ）参照）の形状とを測定可能である。３Ｄスキャナ２０は、矩形の装置の中央に立つユーザＣのスキャニングを行う測定装置２１と、測定装置２１による測定結果を入力して所定の演算を行って体形情報を出力する演算装置２２とを備える。測定装置２１は、各種センサを含む。測定装置２１は、ユーザＣのバストＢを含む全身の点群データである三次元データ（測定結果）を演算装置２２へ送信する。演算装置２２は、コンピュータを含む。演算装置２２は、入力した三次元データに所定の処理を施し、測定対称箇所（バストＢおよびアンダーバストを含む）の認識処理を行い、たとえば三次元（または正面および側面等の二次元）画像を生成する。
【００２２】
ブラジャーサイズ判定装置１０は、通信ネットワークを介して３Ｄスキャナ２０、データベース３０、および表示装置４０とデータを送受信することができる。通信ネットワークのそれぞれの構成および種類は何ら限定されず、任意の方針で設計されてよい。例えば、通信ネットワークはインターネット、イントラネット、またはこれらの組合せによって構築されてもよい。また、通信ネットワークは有線通信ネットワーク、無線通信ネットワーク、またはこれらの組合せによって構築されてもよい。
【００２３】
データベース３０は、カップ付き衣類に関する衣類情報を記憶する装置（記憶部）である。衣類情報は個々の衣類の属性を示す。衣類情報は、有償または無償で取引可能な個々の衣類商品の属性を示してもよい。衣類の属性とは、衣類を特徴付けるデータ項目のことをいい、例えば、衣類の形状特徴、寸法特徴、生地特性、部材特性、構造特徴、縫製特徴、衣服圧、または機能のことをいう。衣類の属性は被服の画像（製品画像）を含んでもよい。
【００２４】
本実施形態では、衣類情報は、上記したブラジャーの情報を含む。衣類の属性は、衣類の寸法特徴として、ブラジャーサイズを含む。ブラジャーサイズは、少なくとも、ユーザＣのバストＢを覆うカップのカップサイズ、および、ユーザＣのアンダーバストの周径に対応するアンダーバストサイズを含む。アンダーバストの周径とは、バストＢの最下点における胴体の周囲の長さのことをいう。図４に示されるように、カップサイズは、たとえば、Ａカップ、Ｂカップ、Ｃカップ、Ｄカップ、Ｅカップ、Ｆカップ、およびＧカップ等の複数種類のサイズからなる。アンダーバストサイズは、たとえば、６５、７０、７５、８０、８５、および９０等の複数種類のサイズからなる。
【００２５】
ブラジャーサイズ判定装置１０は、機能要素として、取得部１１、体積算出部１２、体積換算部１３、判定部１４、および出力部１５を備える。取得部１１は、３Ｄスキャナ２０から送信されたユーザＣの全身の三次元データを取得する。取得部１１は、特に、ユーザＣのバストＢを含む上半身形状の三次元データを取得する。
【００２６】
図２は、ブラジャーサイズ判定装置１０として機能し得るコンピュータ１００のハードウェア構成の一例を示す図である。例えば、コンピュータ１００はプロセッサ１０１、主記憶部１０２、補助記憶部１０３、通信制御部１０４、入力装置１０５、および出力装置１０６を備える。プロセッサ１０１はオペレーティングシステムおよびアプリケーションプログラムを実行する。主記憶部１０２は例えばＲＯＭおよびＲＡＭで構成される。補助記憶部１０３は例えばハードディスクまたはフラッシュメモリで構成され、一般に主記憶部１０２よりも大量のデータを記憶する。補助記憶部１０３は、少なくとも１台のコンピュータをブラジャーサイズ判定装置１０として機能させるためのプログラム１１０を記憶する。通信制御部１０４は例えばネットワークカードまたは無線通信モジュールで構成される。入力装置１０５は例えばキーボード、マウス、タッチパネルなどで構成される。出力装置１０６は例えばモニタおよびスピーカで構成される。
【００２７】
ブラジャーサイズ判定装置１０の各機能要素は、プロセッサ１０１または主記憶部１０２の上にプログラム１１０を読み込ませてそのプログラムを実行させることで実現される。プログラム１１０は、ブラジャーサイズ判定装置１０の各機能要素を実現するためのコードを含む。プロセッサ１０１はプログラム１１０に従って、通信制御部１０４、入力装置１０５、または出力装置１０６を動作させ、主記憶部１０２または補助記憶部１０３におけるデータの読み出しおよび書き込みを行う。この処理によりブラジャーサイズ判定装置１０の各機能要素が実現される。処理に必要なデータまたはデータベースは主記憶部１０２または補助記憶部１０３内に格納されてもよい。
【００２８】
プログラム１１０はブラジャーサイズ判定プログラムに相当する。プログラム１１０は、例えば、ＣＤ−ＲＯＭ、ＤＶＤ−ＲＯＭ、半導体メモリなどの有形の記録媒体に固定的に記録された上で提供されてもよい。あるいは、プログラム１１０は、搬送波に重畳されたデータ信号として通信ネットワークを介して提供されてもよい。
【００２９】
ブラジャーサイズ判定装置１０は一つまたは複数のコンピュータにより構成され得る。複数のコンピュータが用いられる場合には、通信ネットワークを介してこれらのコンピュータが互いに接続されることで、ブラジャーサイズ判定装置１０が構成される。
【００３０】
図１、図３（ａ）および図３（ｂ）に示されるように、体積算出部１２は、取得部１１が取得した上半身形状の三次元データに基づいて、バストＢの体積を算出する。体積算出部１２は、上半身形状の三次元データから左右のバストＢの範囲を切り出す。バストＢの下端には、通常、バージスラインと呼ばれるバストＢと胴体の境界線が表れる。なお、この境界線は、下溝線と呼ばれる場合もある。三次元データでは、その辺りに曲率が変化する部分があるので、体積算出部１２は、曲率の変化点からバージスラインを抽出する。バストＢの上側および左右両側についても、体積算出部１２は、バージスラインと同様に、曲率の変化点から境界ラインを抽出する。これらの抽出されたバージスラインおよび境界ラインが互いに接続されることで、バストＢの環状の境界ラインＢａが生成される。体積算出部１２は、たとえば、この境界ラインＢａで囲まれた範囲の体積を、バスト全体の体積であるバスト体積Ｖｔとして算出する。
【００３１】
体積算出部１２は、さらに、バストＢの下部分の体積である第１体積Ｖａを算出する。バストＢのバスト体積Ｖｔは、この第１体積Ｖａと、バストＢの上部分の体積である第２体積Ｖｂとの和に相当する。体積算出部１２は、バストＢのバストトップＢｂの身長方向の高さ位置でバストＢを上下に２つに分割することによって、第１体積Ｖａを算出する。体積算出部１２は、バストＢの三次元データを基に下部分の三次元データを得た後に、バストトップＢｂの身長方向の高さ位置に設定された水平な分割面Ｂｃ（水平面）よりも下の範囲の三次元データから、下部分の体積を算出してもよい。すなわち、第１体積Ｖａの算出に際し、必ずしもバスト体積Ｖｔの算出は必須ではない。バスト体積Ｖｔを算出することなく、三次元データから第１体積Ｖａが直接算出されてもよい。もちろん、体積算出部１２は、バストＢのバスト体積Ｖｔを算出した後に、そのバスト体積Ｖｔのうち分割面Ｂｃよりも下の範囲の第２体積Ｖｂを算出してもよい。体積算出部１２は、バストＢの上部分の体積である第２体積Ｖｂを算出して、バスト体積Ｖｔから第２体積Ｖｂを差し引いてもよい。
【００３２】
ブラジャーサイズ判定装置１０では、ブラジャーサイズの判定（選定）に際し、バストＢの下部分の体積である第１体積Ｖａが重要な因子であることに着目して、このように第１体積Ｖａを算出している。また、バストＢの上部分の体積である第２体積Ｖｂも、２番目の因子としてブラジャーサイズの判定に関係する。本実施形態では、２番目の因子として、第１体積Ｖａと第２体積Ｖｂの合計に相当するバスト体積Ｖｔを用いている。上記の取得部１１および体積算出部１２が、バストＢの少なくとも第１体積Ｖａを取得する取得部に相当する。取得部１１および体積算出部１２が、バスト体積Ｖｔを取得する取得部に相当する。なお、ブラジャーサイズ判定装置１０が、これらの第１体積Ｖａおよびバスト体積Ｖｔを算出する態様に限られない。第１体積Ｖａおよびバスト体積Ｖｔが３Ｄスキャナ２０の演算装置２２から送信され、取得部１１がそれらを取得してもよい。
【００３３】
なお、本実施形態では、上述のとおり、バストＢの上部分の体積は、バスト全体の体積であるバスト体積ＶｔからバストＢの下部分の体積である第１体積Ｖａを差し引いた差分に相当する。すなわち、バスト全体の体積は、バストＢの下部分（下半分）の体積とバストＢの上部分（上半分）の体積との和である。しかし、バストＢの上部分の体積がこれとは別に定義されてもよい。たとえば、バストＢ全体の体積が３分割されてもよい。すなわち、バストＢが、下部分、中部分、および上部分からなってもよい。この場合に、バストＢの下部分の体積と上部分の体積とに基づいて、ブラジャーサイズが判定されてもよい。中部分が、バストトップＢｂを含んでもよい。あるいは、バストＢの下部分の体積と、バストＢの下部分以外の少なくとも一部分の体積とに基づいて、ブラジャーサイズが判定されてもよい。
【００３４】
体積算出部１２は、上半身形状の三次元データから、ユーザＣのアンダーバストの周径を算出する。アンダーバストの周径が３Ｄスキャナ２０の演算装置２２から送信され、取得部１１がそれを取得してもよい。なお、アンダーバストの周径は、ユーザＣによって、３Ｄスキャナ２０の演算装置２２またはブラジャーサイズ判定装置１０に入力されてもよい。
【００３５】
体積換算部１３は、所定の判定式に基づいて、バストＢの換算体積を算出する。上述のとおり、ブラジャーサイズの判定には、第１体積Ｖａおよびバスト体積Ｖｔが用いられる。体積換算部１３は、これらの２つの数値を用いて、バストＢの換算体積Ｖｃを算出する。ブラジャーサイズ判定装置１０は、第１体積Ｖａに乗じられる重みづけ係数である第１の係数ｋ１と、バスト体積Ｖｔに乗じられる重みづけ係数である第２の係数ｋ２とを、複数のアンダーバストサイズに応じて、それぞれ記憶している。これらの第１の係数ｋ１および第２の係数ｋ２は、たとえば正の数値である。
【００３６】
本実施形態における判定式は、以下の式（１）で表される（図４も参照）。
Ｖｃ＝ｋ１×Ａ＋ｋ２×Ｔ・・・（１）
ここで、
Ｖｃ：換算体積
Ａ：第１体積Ｖａ
ｋ１：第１の係数
Ｔ：バスト体積Ｖｔ
ｋ２：第２の係数
である。
【００３７】
すなわち、体積換算部１３は、下部分の第１体積Ｖａに第１の係数ｋ１を乗じた積と、バスト体積Ｖｔに第２の係数ｋ２を乗じた積とを加算して、バストＢの換算体積Ｖｃを算出する。第２の係数ｋ２は、第１の係数ｋ１とは異なる値であってもよい。第２の係数ｋ２は、第１の係数ｋ１より小さくてもよい。第２の係数ｋ２は、第１の係数ｋ１より大きくてもよい。図４に示されるように、第１の係数ｋ１（図中のａ）は、アンダーバストサイズに関わらず一定であってもよい。第２の係数ｋ２は、アンダーバストサイズが大きくなるにつれて、大きく設定されてもよい。なお、図４に示される第１の係数ｋ１および第２の係数ｋ２において、各係数の大小関係が、ｂ＜ａ＜ｃ＜ｄとなっていてもよい。第２の係数ｋ２は、たとえば、アンダーバストサイズ６５と７０で同一になっており（図中のｂ）、アンダーバストサイズ７５と８０で同一になっており（図中のｃ）、アンダーバストサイズ８５と９０で同一になっている（図中のｄ）。
【００３８】
第１の係数ｋ１および第２の係数ｋ２は、アンダーバストサイズごとに、後述する図７および図８に示される試験を基に定められてもよい。カップサイズの一致度が高くなるように第１の係数ｋ１、第２の係数ｋ２、および換算体積Ｖｃの境界値（後述）が定められていると、ブラジャーサイズ判定装置１０の精度および信頼性が向上する。
【００３９】
判定部１４は、体積算出部１２が算出したアンダーバストの周径に基づいて、ユーザＣに適合するブラジャーのアンダーバストサイズ（アンダーバスト候補サイズ）を判定する。判定部１４は、少なくともバストＢの下部分の第１体積Ｖａに基づいて、ユーザＣに適合するブラジャーのカップサイズ（カップ候補サイズ）を判定する。すなわち、判定部１４は、アンダーバストの周径と第１体積Ｖａとに基づいて、アンダーバスト候補サイズとカップ候補サイズとを判定する。これらは、ブラジャーサイズ判定装置１０がユーザＣに対して推薦するブラジャーサイズのもっとも重要な部分である。アンダーバスト候補サイズは適合アンダーバストサイズとも言える。カップ候補サイズは適合カップサイズとも言える。
【００４０】
図４および図５を参照して、判定部１４におけるブラジャーサイズの判定手法についてより詳細に説明する。図４は、各種アンダーバストサイズに応じたカップ候補サイズを示す表である。図５は、図４のカップサイズ判定における換算体積の境界値とカップ候補サイズを概念的に示す図である。図４に示されるように、ブラジャーサイズ判定装置１０では、たとえば図示される６種類のアンダーバストサイズが設定されている。アンダーバストの周径に応じて、いずれかのアンダーバストサイズが、アンダーバスト候補サイズに選定される。たとえば、隣接する２つのアンダーバストサイズ（６５ｃｍと７０ｃｍ、および、７０ｃｍと７５ｃｍ等）の中間に、それぞれ境界値が設定されてもよい（６７．５ｃｍおよび７２．５ｃｍ等）。また、各アンダーバストサイズに対応させて、複数のカップサイズが設定されている。これらのカップサイズ判定においては、上述の判定式（１）によって算出される換算体積Ｖｃが用いられる。
【００４１】
より具体的には、図５に示されるように、各アンダーバストサイズに対応させて、換算体積Ｖｃの境界値（Ｖ１〜Ｖ６等）が設定されている。２つの隣接する境界値間の領域に、それぞれ２種類のカップサイズが設定されている。たとえば、アンダーバストサイズが７０である場合に、換算体積Ｖｃが境界値Ｖ２，Ｖ３間の値であれば、カップ候補サイズとして、ＤカップまたはＣカップが選定される。そして、図４に示されるように、ブラジャー候補サイズとして、Ｄ７０またはＣ７０が選定される。図４に示されるように、換算体積Ｖｃが、Ｃ〜Ｄの範囲内の領域である場合に、第１候補として、大きい方のＤカップが提示され、第２候補として、小さい方のＣカップが提示されてもよい。図４において、大きな字体でかつ最初に示された方が、第１候補に相当する。図５において、最初に示された方が、第１候補に相当する。
【００４２】
このように、判定部１４は、換算体積Ｖｃに基づいて、ユーザＣに適合するカップサイズを判定する。すなわち、判定部１４は、第１体積Ｖａとバスト体積Ｖｔとに基づいて、ユーザＣに適合するカップサイズを判定する。判定部１４は、第１体積Ｖａおよびバスト体積Ｖｔに基づいて定められた２つのサイズ候補を判定結果として出力する。２つのサイズ候補を提示するにあたり、判定部１４は、それらのサイズ候補に優先順位を付与してもよい。優先順位は、推薦の度合いである。
【００４３】
また、カップサイズの判定においては、図５に示されるように、アンダーバストサイズが大きくなるにつれて、２つの隣接する境界値間の幅が大きくなっていてもよい。境界値間の幅は、たとえば、アンダーバストサイズ６５と７０で同一になっており（図中のＶ１〜Ｖ６）、アンダーバストサイズ７５と８０で同一になっており、アンダーバストサイズ８５と９０で同一になっている。なお、ブラジャーサイズ判定装置１０におけるデータ構造は図４および図５に限定されず、任意に設計されてよい。
【００４４】
判定部１４は、上述した判定手法によってブラジャーのアンダーバストサイズおよびカップサイズを判定する。判定部１４は、データベース３０から、判定結果に合致する複数の商品情報（候補ブラジャー）を取得してもよい。判定部１４は、判定結果を示すサイズ情報およびそれに応じた商品情報を出力部１５に出力する。出力部１５は、判定部１４から出力された情報を表示装置４０に出力する。出力部１５は、候補ブラジャーの情報を表示装置４０に出力する。
【００４５】
図６を参照して、ブラジャーサイズ判定装置１０の動作を説明するとともに本実施形態に係るブラジャーサイズ判定方法について説明する。図６に示されるように、まずステップＳ０１では、ブラジャーサイズ判定装置１０の取得部１１は、３Ｄスキャナ２０から送信されたユーザＣの全身の三次元データを測定値として取得する。この三次元データには、上半身形状の三次元データが含まれる。次に、体積算出部１２が、上半身形状の三次元データから、ユーザＣのアンダーバストの周径を算出してもよい。
【００４６】
ステップＳ０２では、判定部１４が、アンダーバストの周径を境界値と比較することにより、ユーザＣに適合するブラジャーのアンダーバストサイズを判定する。次に、ステップＳ０３では、体積算出部１２が、上半身形状の三次元データから左右のバストＢの範囲を切り出し、第１体積Ｖａおよびバスト体積Ｖｔを算出する。
【００４７】
続いて、ステップＳ０４では、体積換算部１３が、アンダーバストサイズに対応する第１の係数ｋ１および第２の係数ｋ２を取得する。ここでは、ユーザＣに適合するアンダーバストサイズに応じて、図４に示される係数ａおよび、係数ｂまたはｃまたはｄのいずれかが取得される。そしてステップＳ０５では、体積換算部１３は、ステップＳ０３で算出された２つの体積に関する数値を判定式（上記式（１））に代入して、バストＢの換算体積Ｖｃを算出する。
【００４８】
ステップＳ０６では、判定部１４が、図４および図５に示されるユーザＣに適合するブラジャーサイズを判定する。そしてステップＳ０７では、出力部１５が、判定されたブラジャーサイズを示すサイズ情報を出力する。以上一連の処理を経て、たとえば表示装置４０に、ユーザＣに適合するとして推薦されるブラジャーサイズおよび商品情報が表示される。
【００４９】
本実施形態のブラジャーサイズ判定装置１０によれば、ユーザＣのバストＢの下部分の第１体積Ｖａに基づいて、ブラジャーのカップサイズが判定される。バスト体積Ｖｔよりも、下部分の第１体積Ｖａの方が、カップサイズに対して大きく影響し得る。よって、少なくとも下部分の第１体積Ｖａを判定に用いた方が、ユーザＣの体により適合するカップサイズを選び出すことができる。したがって、多くのユーザＣを対象とした場合でも、各ユーザＣの体に適合するようなブラジャーのサイズを判定することができる。
【００５０】
また、たとえば、バストＢの上部分の第１体積Ｖａが比較的小さい場合、ブラジャーとバストＢとの間に隙間ができる傾向にある。バストＢの上部分の第２体積Ｖｂが比較的大きい場合、ブラジャーがバストＢに食い込む傾向にある。このように、下部分の第１体積Ｖａに加え、上部分の体積を含んだバスト体積Ｖｔ（バスト全体の体積）を２番目の要素として用いることで、適合の精度が更に高められる。
【００５１】
下部分の第１体積Ｖａに乗じる第１の係数ｋ１とバスト体積Ｖｔに乗じる第２の係数ｋ２とを別個に設定して算出される換算体積Ｖｃは、カップサイズの分類に適合させやすい。換算体積Ｖｃに基づいてカップサイズを判定することで、適合の精度が更に高められる。
【００５２】
ここで、図７および図８を参照して、本実施形態の判定式の有用性について説明する。図７は、バスト体積Ｖｔに対する下部分の第１体積Ｖａの分布状況とカップ候補サイズを示すグラフである。図７および図８では、１９名の被験者について、自ら適合すると考えるカップサイズを自己申告してもらい、３Ｄスキャナ２０で別途測定された被検者のバストの体積（バスト体積Ｖｔおよび第１体積Ｖａ）をグラフ上にプロットした。図７および図８に示される試験データは、アンダーバストサイズが７０の母集団における試験データである。本実施形態の判定式の境界値に相当する境界線が、グラフ上において斜めに延びる破線として表されている。図７に示されるように、これらの破線を境界線に設定することで、自己申告による適合カップサイズは、１９名中１８名において、境界線によって区切られた領域のカップサイズと一致した（一致率は９５％）。（なお唯一、適合カップサイズはＣカップでもＤカップでもないと申告した被検者のデータが、Ｃ〜Ｄの領域にプロットされている。）
【００５３】
図８は、バスト体積Ｖｔに対する換算体積Ｖｃの分布状況とカップ候補サイズを示すグラフである。図８に示されるように、アンダーバストサイズ７０において、境界線が水平となるように第１の係数ｋ１および第２の係数ｋ２が設定されている。図７において高い一致率を示した境界線が、判定式によって変換され、換算体積Ｖｃの境界値（図５に示されるＶ１〜Ｖ６参照）となっている。換算式で変換した後のＶ１〜Ｖ６によって区切られた領域である領域Ｒ１〜Ｒ６に、９５％の一致率をもってカップサイズが適合していることが読み取れる。このように、図７のプロットにおいて一致率が高くなるように境界線を引き、その境界線が水平となるように判定式および第１、第２係数を準備すれば、高い一致率が得られる。これらの判定式および第１、第２係数は、上述したとおりアンダーバストサイズごとに設定される。
【００５４】
また本実施形態において、第２の係数ｋ２は、アンダーバストサイズが大きくなるにつれて、大きく設定される。下部分の第１体積Ｖａと適合カップサイズとの関係は、アンダーバストサイズによって異なる。第２の係数ｋ２がこのように設定されることで、アンダーバストサイズごとに、適切なカップサイズを選び出すことができる。
【００５５】
ユーザＣに適合する唯一のカップサイズを選び出すことは難しい場合も多い。複数の候補サイズが判定結果として出力されると、選択の余地がユーザＣに与えられ、ユーザＣの体または好みに対するマッチングが実現される。
【００５６】
ブラジャーのバストトップ部（バストトップＢｂを覆う部分）より上の部分については、製品のデザインによって、ユーザＣのバストＢの上部分を覆う範囲が変わることが多い。一方で、バストトップ部より下の部分については、ほとんどの製品で、ユーザＣのバストＢの下部分を覆う範囲は、変わらない。すなわち、ブラジャーのバストトップ部より下の部分は、ほとんどの製品で、ユーザＣのバストＢの下部分の全体または略全体を覆う。バストトップＢｂを基準（境界）にして下部分の第１体積Ｖａを得た場合、それぞれのユーザＣのバストＢに応じた、より適切なカップサイズを判定することができる。またあらゆるユーザＣに対しても基準が統一されやすく、判定部１４における判定の安定性および信頼性も高められる。
【００５７】
以上、本発明の実施形態について説明したが、本発明は上記実施形態に限られない。たとえば、図９に示されるように、ある領域（たとえば領域Ｒ２）における換算体積Ｖｃの範囲を３等分し、小さい方から領域Ｒ２１，Ｒ２２，Ｒ２３とし、領域Ｒ２３、Ｒ２２に当てはまる場合は大きい方（図示例ではＤカップ）、領域Ｒ２１では小さい方（図示例ではＣカップ）を第１候補としてもよい。これは一例に過ぎず、３等分以外のｎ等分（ｎは２以上の整数）としてもよいし、大きい方と小さい方のいずれを第１候補とするかは任意に定めることができる。
【００５８】
第１体積Ｖａは、バストトップＢｂの身長方向の高さ位置を基準に求められる態様に限られない。たとえば、バストＢの三次元データのうち、身長方向の所定の高さ位置より下の範囲の三次元データから第１体積Ｖａが算出されてもよい。バストＢの三次元データに基づいて、バスト体積Ｖｔに対する体積比を予め定めておいて、その体積比に基づいて第１体積Ｖａが算出されてもよい。
【００５９】
ブラジャーサイズの判定に、バスト体積Ｖｔが考慮されなくてもよい。すなわち、第１体積Ｖａのみに基づいて、ブラジャーサイズが判定されてもよい。第１体積Ｖａおよび第２体積Ｖｂに基づいて、ブラジャーサイズが判定されてもよい。
【００６０】
判定部１４は、唯一の候補サイズを出力してもよい。
【００６１】
ユーザＣのバストＢの下部分の体積のみに基づいて、カップ付き衣類のカップサイズが判定されてもよい。その場合、ユーザＣのバストＢの下部分の体積と、図４，５に示されるのと同様の対応関係とに基づいて、カップ付き衣類のカップサイズが判定されてもよい。
【００６２】
カップ付き衣類のサイズ判定方法は、コンピュータによって実行される場合に限られず、たとえば下着売り場の店員によって実施されてもよい。店員は、顧客であるユーザＣのバストＢのトップバストの周径とアンダーバストの周径との差と、バストＢの外形（外観）とに基づいて、下部分の第１体積Ｖａに相当する体積を推定し、その体積に基づいてブラジャーサイズを選定してもよい。その場合に、バスト体積Ｖｔに相当する全体の体積が加味されてもよい。
【符号の説明】
【００６３】
１０…ブラジャーサイズ判定装置（サイズ判定装置）、１１…取得部、１２…体積算出部、１３…体積換算部、１４…判定部、１５…出力部、２０…３Ｄスキャナ、３０…データベース、１００…コンピュータ、１０１…プロセッサ、Ｂ…バスト、Ｂａ…境界ライン、Ｂｂ…バストトップ、Ｂｃ…分割面、Ｃ…ユーザ、Ｓ…衣類サイズ判定システム、Ｖａ…第１体積（下部分の体積）、Ｖｂ…第２体積（上部分の体積）、Ｖｃ…換算体積、Ｖｔ…バスト体積（バスト全体の体積）。
【図１】
2020143389.tif 000003
【図２】
2020143389.tif 000004
【図３】
2020143389.tif 000005
【図４】
2020143389.tif 000006
【図５】
2020143389.tif 000007
【図６】
2020143389.tif 000008
【図７】
2020143389.tif 000009
【図８】
2020143389.tif 000010
【図９】
2020143389.tif 000011